(57)【要約】この発明は、閉栓時には瓶口への取り付け（嵌まり込み）を容易にしてキャッピング性能を向上できるとともに、開栓時には立ち上げ部の座屈および／または倒れを防止しながら、瓶口へのグリップ性能を向上できるピルファープルーフキャップを提供する。この発明は、キャップ本体の下端にブリッジ部を介してバンド部を設けたピルファープルーフキャップにおいて、前記バンド部から内向き上方向に立ち上げ部を連設し、この立ち上げ部が横断面円弧状の部分を有している。
2004060765.tif 000002
【特許請求の範囲】
【請求項１】
キャップ本体の下端にブリッジ部を介してバンド部を設けたピルファープルーフキャップにおいて、前記バンド部から内向き上方向に立ち上げ部を連設し、この立ち上げ部が横断面円弧状の部分を有していることを特徴とするピルファープルーフキャップ。
【請求項２】
キャップ本体の下端にブリッジ部を介してバンド部を設けたピルファープルーフキャップにおいて、前記バンド部から内向き上方向に立ち上げ部を連設し、この立ち上げ部の前記バンド部への付根部分を横断面において円弧状とするとともに、前記立ち上げ部の先端部分を横断面において円弧状としてあることを特徴とするピルファープルーフキャップ。
【請求項３】
前記立ち上げ部の横断面円弧状の部分がキャップ中央側に円弧の中心を持つ請求の範囲第１項または第２項に記載のピルファープルーフキャップ。
【請求項４】
前記立ち上げ部の付根部分から先端部分まで、横断面において、全部が円弧となるよう構成されている請求の範囲第１項ないし第３項のいずれかに記載のピルファープルーフキャップ。
【請求項５】
瓶口の膨出部のリング状下周面に前記立ち上げ部の上面がほぼ当接するよう前記立ち上げ部の上面を平面視円弧状としてあり、その立ち上げ部上面の円弧を含む円と、前記下周面の円弧を含む円は同心円である請求の範囲第１項ないし第４項のいずれかに記載のピルファープルーフキャップ。
【請求項６】
キャップ本体の下端にブリッジ部を介してバンド部を設けたピルファープルーフキャップにおいて、前記バンド部から内向き上方向に立ち上げ部を連設し、この立ち上げ部が、横断面形状において、外向き凸状の部分および／または内向き凸状の部分を有することを特徴とするピルファープルーフキャップ。
【請求項７】
前記外向き凸状の部分および／または内向き凸状の部分が、円弧状に形成されている請求の範囲第６項に記載のピルファープルーフキャップ。
【請求項８】
前記外向き凸状の部分および／または内向き凸状の部分が、蛇腹状に形成されている請求の範囲第６項に記載のピルファープルーフキャップ。
【請求項９】
キャップ本体の下端にブリッジ部を介してバンド部を設けたピルファープルーフキャップにおいて、前記バンド部から内向き上方向に立ち上げ部を連設し、この立ち上げ部の付根部分の横断面形状が、外向きに突出した円弧状であり、かつ、その曲率をキャップの中央を中心とする円弧の曲率より大としてあることを特徴とするピルファープルーフキャップ。
【請求項１０】
前記立ち上げ部は、バンド部の円周方向において連続または不連続の状態で設けられている請求の範囲第１項ないし第９項のいずれかに記載のピルファープルーフキャップ。
【請求項１１】
前記立ち上げ部の付根部分を、キャップ高さ方向に湾曲し、かつ、上側へ向けて凸状になるよう構成してある請求の範囲第１項ないし第１０項のいずれかに記載のピルファープルーフキャップ。
【請求項１２】
前記立ち上げ部の付根部分を、キャップ高さ方向に湾曲し、かつ、下側へ向けて凸状になるよう構成してある請求の範囲第１項ないし第１０項のいずれかに記載のピルファープルーフキャップ。
【請求項１３】
前記立ち上げ部は、バンド部の円周方向において不連続の状態で複数個設けられ、前記立ち上げ部の付根部分から先端部分まで、前記立ち上げ部における前記バンド部の円周方向に沿う幅が変化する請求の範囲第１項ないし第１２項のいずれかに記載のピルファープルーフキャップ。
【請求項１４】
前記立ち上げ部の上面が、ボトル中心軸に対し、垂直となる請求の範囲第１項ないし第１３項のいずれかに記載のピルファープルーフキャップ。
【請求項１５】
前記立ち上げ部の上面が、下方に凹入する凹入面部分を有している請求の範囲第１項ないし第１３項のいずれかに記載のピルファープルーフキャップ。
【請求項１６】
前記凹入面部分は、瓶口の膨出部に面接触するよう構成されている請求の範囲第１５項に記載のピルファープルーフキャップ。
【請求項１７】
前記立ち上げ部の上面が、上方に凸出する凸出面部分を有している請求の範囲第１項ないし第１３項のいずれかに記載のピルファープルーフキャップ。
【請求項１８】
前記立ち上げ部の上面が、前記立ち上げ部の高さ方向に垂直な平面に形成されている請求の範囲第１項ないし第１３項のいずれかに記載のピルファープルーフキャップ。
【発明の詳細な説明】
【技術分野】  この発明は、キャップ本体の下端にブリッジ部を介してバンド部を設けたピルファープルーフキャップに関するものである。
【背景技術】  メカニカルに瓶口に係止するタイプのピルファープルーフキャップのバンド部は、開栓時、あるいはいたずらに対して強固に瓶口にグリップしなければならない。すなわち、開栓時、例えば不連続の状態でバンド部下端から折曲して内向き上方向に立ち上げた複数個の立ち上げ部が瓶口の膨出部（ボトルネック，ビード）からすっぽ抜けないよう、かつ、キャップ本体およびバンド部間に設けた複数個のブリッジ部に上下方向（縦方向）の引っ張り力がかかってブリッジ部が確実に破断するよう、前記各立ち上げ部の先端部分を膨出部の下周面に確実に係止する必要がある。
このためには、立ち上げ部の付根部から先端部まで、第１５図（Ａ）に示すような矩形状、あるいは、第１５図（Ｂ）に示すようなほぼ台形形状の横断面を持つ、細長い平板よりなる立ち上げ部４１，４２において、座屈（立ち上げ部の縦方向に加わる圧力で横方向に順次変形を起こして折れ曲がる現象）を防止するとともに、立ち上げ部４１，４２が内側に倒れる反転現象を防止するためには肉厚ａ，ｂを上げるしか方法がなかった。これは、複数個の立ち上げ部をそれぞれ薄肉にすると立ち上げ部自体が座屈するからである。座屈は立ち上げ部の弱化部からはじまったり、あるいは立ち上げ部のバンド部への付根部（ヒンジ部）からはじまる。
しかし、立ち上げ部の厚肉化は、キャップを瓶口に巻き締める際（閉栓の際）に瓶口のスカート部を乗り越えるときには障害となって、キャップを瓶口に嵌めるのが難しく、このため厚肉化には自ずと制限があり、極端な厚肉化はできないことになる。さらに、立ち上げ部の前記付根部（ヒンジ部）はきわめてわずかな空間に施すため、また、立ち上げ部を前記付根部（ヒンジ部）から折り曲げるため、立ち上げ部の前記付根部（ヒンジ部）は薄肉になり易い。
この発明は上述の事柄に留意してなされたもので、その目的は、閉栓時には瓶口への取り付け（嵌まり込み）を容易にしてキャッピング性能を向上できるとともに、開栓時には立ち上げ部の座屈および／または倒れを防止しながら、瓶口へのグリップ性能を向上できるピルファープルーフキャップを提供することである。
【発明の開示】
上記目的を達成するために、この発明のピルファープルーフキャップは、キャップ本体の下端にブリッジ部を介してバンド部を設けたピルファープルーフキャップにおいて、前記バンド部から内向き上方向に立ち上げ部を連設し、この立ち上げ部が横断面円弧状の部分を有していることを特徴とする（請求項１）。すなわち、立ち上げ部が横断面円弧状の部分を有しているので、既存の平板よりなる立ち上げ部に比べて、強度が大であり、したがって、立ち上げ部を薄肉で形成しても、開栓時における立ち上げ部の座屈を防止できる。
また、この発明は別の観点から、キャップ本体の下端にブリッジ部を介してバンド部を設けたピルファープルーフキャップにおいて、前記バンド部から内向き上方向に立ち上げ部を連設し、この立ち上げ部の前記バンド部への付根部分を横断面において円弧状とするとともに、前記立ち上げ部の先端部分を横断面において円弧状としてあることを特徴とするピルファープルーフキャップ（請求項２）を提供する。すなわち、立ち上げ部のバンド部への付根部分を横断面において円弧状とするので、円弧状の付根部分を持たない既存の平板よりなる立ち上げ部に比べて、強度が大であり、したがって、付根部分を薄肉に形成しても、開栓時において付根部分を曲がり難くでき、これにより、立ち上げ部が内側に倒れないように付根部分の強度を大にでき、立ち上げ部の倒れを防止できる。更に、立ち上げ部の先端部分を横断面において円弧状としてあるので、付根部分から先端部分までの座屈と、瓶口の膨出部の係止面からの立ち上げ部のすっぽ抜けとを防止できる。
また、この発明は更に別の観点から、キャップ本体の下端にブリッジ部を介してバンド部を設けたピルファープルーフキャップにおいて、前記バンド部から内向き上方向に立ち上げ部を連設し、この立ち上げ部が、横断面形状において、外向き凸状の部分および／または内向き凸状の部分を有することを特徴とするピルファープルーフキャップを提供する（請求項６）。
この場合も前記した既存の平板よりなる立ち上げ部に比べて、強度が大であり、したがって、立ち上げ部を薄肉で形成しても、開栓時における立ち上げ部の座屈を防止できる。
また、この発明は更に別の観点から、キャップ本体の下端にブリッジ部を介してバンド部を設けたピルファープルーフキャップにおいて、前記バンド部から内向き上方向に立ち上げ部を連設し、この立ち上げ部の付根部分の横断面形状が、外向きに突出した円弧状であり、かつ、その曲率をキャップの中央を中心とする円弧の曲率より大としてあることを特徴とするピルファープルーフキャップ（請求項９）を提供する。
すなわち、立ち上げ部の付根部分９の横断面形状が、外向きに突出した円弧状であり、かつ、その曲率をキャップの中央を中心とする円弧の曲率より大としてあるので、つまり、横断面において、キャップの中央を中心Ｏとする図６（Ａ）に示すような円弧９ｃ，円弧９ｄを持つ付根部分９に比して、円弧９ｃ，円弧９ｄよりも湾曲度が大の円弧４５ａ，円弧４５ｂ〔第６図（Ｂ）参照〕を付根部分９が有することにより、立ち上げ部５の強度を更に大にでき、立ち上げ部５を薄肉で形成しても、開栓時における立ち上げ部５の座屈を確実に防止できる。
【図面の簡単な説明】  第１図は、この発明の第１の実施形態を示す構成説明図である。
第２図（Ａ）は、上記実施形態における要部縦断面図である。
（Ｂ）は、上記実施形態における要部横断面図である。
第３図は、上記実施形態における要部斜視図である。
第４図（Ａ）は、上記実施形態において、立ち上げ部の先端部分の形状と膨出部の下周面の形状の関係を説明するための図である。
（Ｂ）は、上記実施形態の変形例を示し、立ち上げ部の先端部分の形状と膨出部の下周面の形状の関係を説明するための図である。
第５図（Ａ），（Ｂ），（Ｃ）はそれぞれ、上記実施形態における付根部分をキャップ高さ方向に湾曲し、かつ、上側へ向けてに凸状になるよう構成してある立ち上げ部を示す側面図である。
第６図（Ａ）は、上記第１の実施形態の付根部分を示す横断面図である。
（Ｂ）は、上記第１の実施形態の付根部分の円弧の曲率をキャップの中央を中心とする円弧の曲率より大としてある場合を示す横断面図である。
第７図は、この発明の第２の実施形態を示す要部斜視図である。
第８図は、この発明の第３の実施形態を示す要部斜視図である。
第９図は、この発明の第４の実施形態を示す構成説明図である。
第１０図（Ａ）〜（Ｅ）は、横断面形状において、外向き凸状の部分を有する立ち上げ部の各変形例を示す構成説明図である。
第１１図は、バンド部の円周方向において連続状態で設けられている立ち上げ部を示す構成説明図である。
第１２図（Ａ），（Ｂ），（Ｃ）はそれぞれ、上記実施形態における付根部分をキャップ高さ方向に湾曲し、かつ、下側へ向けて凸状になるよう構成してある立ち上げ部を示す側面図である。
第１３図（Ａ）〜（Ｄ）は、横断面形状において、内向き凸状の部分を有する立ち上げ部の各変形例を示す構成説明図である。
第１４図（Ａ）〜（Ｄ）は、横断面形状において、外向き凸状の部分および内向き凸状の部分を有する立ち上げ部の各変形例を示す構成説明図である。
第１５図（Ａ）、（Ｂ）は、それぞれ、従来例の立ち上げ部を示す横断面図である。
【発明を実施するための最良の形態】  第１図〜第４図は、バンド部から内向き上方向に連設した立ち上げ部を、バンド部の円周方向において不連続の状態で複数個設けるとともに、各立ち上げ部のバンド部への付根部分から先端部分まで、横断面において、全部がピルファープルーフキャップ中央側に円弧の中心を持つ円弧となるよう構成するとともに、前記付根部分を、キャップ中心軸の方向（キャップ高さ方向）に湾曲し、かつ、上側へ向けて凸状になるように構成してあるこの発明の第１の実施形態を示す。
第１図〜第４図において、１は、ピルファープルーフキャップで、キャップ本体２の下端に多数のブリッジ部３を介して環状のバンド部４が設けられている。５は、バンド部４の内面側で、且つ、円周方向において不連続の状態で複数個設けられた立ち上げ部である。各立ち上げ部５は、バンド部４から内向き上方向に連設されている。
ボトル１’はピルファープルーフキャップ（以下、単にキャップという）１が取り付けられる（嵌込まれる）環状の瓶口６を有する一方、前記立ち上げ部５は、前記瓶口６に形成された環状の膨出部（ボトルネック，ビード）７の下周面（後述する）に係止する先端部分８を有する。
膨出部７は、リング状のテーパ面となっている下周面（係止面）ｍを有する。この下周面ｍは、瓶口６の径方向外側に上向きに傾斜している。
そして、少なくとも環状の瓶口６の膨出部７の外周面とバンド部４の内周面Ｂとは同心円状に形成されている。すなわち、瓶口６にキャップ１が取り付けられた状態では、ボトル中心軸Ｚとキャップ中心軸Ｚ’とは同軸となる。更に、バンド部４の最小内径は膨出部７の最大外径以上に設定されている。
９は、立ち上げ部５の前記バンド部４への付根部分（ヒンジ部分）である。この実施形態では、付根部分９は、バンド部４の内壁４ａからではなくバンド部４の下端に形成した裾１１から曲げられてなる。なお、付根部分９をバンド部４の内壁４ａから曲げて構成してもよい。
以下、この発明の特徴的構成について説明する。
上述したように、バンド部４から内向き上方向に連設した立ち上げ部５を、バンド部４の円周方向において不連続の状態で複数個設けてある。そして、各立ち上げ部５のバンド部４への付根部分９から先端部分８まで、横断面において、全部がキャップ中央側に円弧の中心を持つ円弧となるよう構成してある。また、付根部分９を、キャップ高さ方向（両矢印Ｔで示す方向）に湾曲した円弧で、かつ、上側へ向けてＴ１方向に凸状になるよう構成してある〔第３図（Ａ）参照〕。
詳しくは、立ち上げ部５は、横断面円弧状で、円弧がキャップ中央側に円弧の中心を持つよう薄肉で矩形の平板を湾曲させたような形状に形成されるとともに、付根部分９が上側へ向けて凸状になる円弧９ａ，９ｂを有するよう形成されている。すなわち、立ち上げ部５は、薄肉で矩形の平板をキャップ中央側から外側に向けて円弧状に凸状になるよう湾曲させた形状、つまり、横断面形状において外向き凸状の円弧状部分を有し、第３図（Ａ）に示すように、立ち上げ部５の付根部分９から先端部分８まで、横断面において、全部がキャップ中央側に中心を持つ円弧となっている。例えば、付根部分９の平面視あるいは横断面形状は、第２図（Ｂ）に示すように外向きに突出した円弧状に形成されている。しかも、付根部分９は、バンド部４の下端に形成した裾１１から曲げられてキャップ高さ方向（Ｔ方向）の上側（Ｔ１方向）へ向く凸状の湾曲部分Ｓで構成されている。この上に凸の湾曲部分Ｓの上端および下端は、それぞれ、Ｔ１方向に湾曲した上下の円弧９ａおよ１５び９ｂを有する。そして、付根部分９も薄肉で形成してある。
先端部分８の横断面は、瓶口６の膨出部７のリング状の下周面（傾斜面）ｍの円弧７ａ，７ａ〔第４図（Ａ）参照〕に沿うよう円弧状に形成されており、開栓の初期（キャップ開けはじめ）において、前記下周面ｍに立ち上げ部５の上面Ｐがほぼ当接するよう立ち上げ部５の上面Ｐを平面視円弧状としてある。すなわち、第４図（Ａ）に示すように、立ち上げ部上面Ｐの円弧８ａおよび８ａを含むそれぞれ外円および内円と、膨出部７の下周面ｍを構成する円弧７ａを含む円とはキャップ中央側の中心Ｏを共有する同心円となっている。これにより、立ち上げ部上面Ｐのほぼ全領域を下周面ｍにぴったりと強固に当接させることが可能である。なお、平面視の形状が、外向きに突出した円弧状であり、かつ、その曲率をキャップの中央を中心Ｏとする円弧８ａの曲率より大としてある第４図（Ａ）に点線で示した形状を持つ立ち上げ部上面Ｐ’であっても、この立ち上げ部上面Ｐ’のほぼ全領域を下周面ｍに強固に当接させることができる。
なお、この実施形態の立ち上げ部５は、横断面形状において、外向き凸状の部分を有し、付根部分９は、キャップ高さ方向（Ｔ方向）に湾曲し、かつ、第５図にも示すように、上側へ向けてＴ１方向に凸状になるよう構成してあればよく、立ち上げ部上面Ｐの形状は適宜設定できる。
すなわち、立ち上げ部上面Ｐを、第５図（Ａ）に示すように、立ち上げ部５の高さ方向（Ｔ方向）に垂直な平面に形成してもよい。この場合、立ち上げ部５の先端部分８のみ横断面において矩形状とし、第４図（Ｂ）に示すように、立ち上げ部上面Ｐ’’を平面視矩形形状に形成してもよい。
また、第５図（Ｂ）に示すように、立ち上げ部上面Ｐを、瓶口の膨出部７の下周面（係止面）ｍに面接触するよう下方に凹入する凹入面に形成してもよい。また、第５図（Ｃ）に示すように、立ち上げ部上面Ｐを、上方に凸出する凸出面に形成してもよい。
更に、立ち上げ部上面Ｐをボトル中心軸Ｚに対し、垂直となるよう構成してもよい。
而して、立ち上げ部５の付根部分９から先端部分８まで、横断面において、全部がキャップ中央側に中心Ｏを持つ円弧となっている。そして、立ち上げ部５を横断面において円弧とすることにより、横断面円弧状の部分を持たない平板よりなる立ち上げ部に比べて強度を大にでき、座屈を防止できる。すなわち、この発明では、開栓時は、あるいはキャップちょい回しに対しては、立ち上げ部５の平面視円弧状の上面Ｐのほぼ全領域が膨出部７のリング状の下周面（傾斜面）ｍにぴったりと強固に当接することになる。これにより、立ち上げ部５全体に均等に応力が分散されるため、バンド部４は、開栓時、あるいはキャップちょい回しに対して強固に瓶口６の膨出部７の下周面ｍをグリップでき、立ち上げ部５が薄肉であるにもかかわらず、かつ不連続であるにもかかわらず立ち上げ部５の座屈を防止しながら、瓶口６へのグリップ性能を向上できる。
また、立ち上げ部５の付根部分９を、キャップ高さ方向に湾曲し、かつ、上側へ向けてＴ１方向に凸状になるよう上に凸の湾曲部分Ｓで構成してあるので、立ち上げ部５が内側に倒れる反転現象を確実に防止できる。すなわち、付根部分９が薄肉であるにもかかわらず立ち上げ部５の倒れを防止しながら、瓶口へのグリップ性能を向上できる。
ところで、比較例としての座屈を起こし易い薄肉で、かつ、細長い平板よりなる立ち上げ部では、上述したように座屈は立ち上げ部の弱化部からはじまったり、あるいは立ち上げ部のバンド部への付根部（ヒンジ  部）からはじまる。これは、立ち上げ部がこの発明の立ち上げ部５のように横断面円弧状ではなく、立ち上げ部上面を瓶口の膨出部のリング状の下周面（係止面）の円弧に沿わない平面視矩形状、あるいは、平面視ほぼ台形形状としていることと、開栓時あるいはいたずらによるちょい回し時において、立ち上げ部にかかる応力が分散されず、極端な場合膨出部のリング状の下周面に一点で接触している立ち上げ部上面の中央に応力が集中して、立ち上げ部は均等に力を分散して受けることができないことによる。また、比較例の場合、この発明のようなキャップ高さ方向に湾曲し、かつ、上側へ向けて凸状になるよう構成してある付根部分９を持たないので、開栓時において付根部分が曲がり易く、これにより、立ち上げ部が内側に倒れ易くなる。よって、比較例では、付根部分から先端部分までの座屈が生じるとともに、反転による（倒れることによる）立ち上げ部の、瓶口の膨出部の下周面（係止面）からのすっぽ抜けが発生することになる。このような問題点をこの発明は解決している。
更に、この発明では、立ち上げ部５の付根部分９から先端部分８まで、横断面において、全部がキャップ中央側に中心を持つ円弧となっているので、周方向に対する柔軟性を向上でき、キャップ１のねじ込みをスムースに行うことができる。１３は、立ち上げ部５の裏の円弧面である。
また、付根部分９は上に凸の湾曲部分Ｓで構成されているので、バンド部４と立ち上げ部５間に溜まったドレン、例えば洗浄用の水滴、あるいは内容物のオーバーフローによる液は、付根部分９の前記上の円弧９ａ〔第２図（Ｂ）参照〕に沿って素早く立ち上げ部５の裏側から、バンド部４および立ち上げ部５間の隙間Ｑを通って流れ落ちる。そのため、比較例のような薄肉で、かつ、細長い平板よりなる立ち上げ部の場合に比して、バンド部４と立ち上げ部５間に溜まったドレンを容易に素早く確実に排出できる。
なお、上記実施形態では、第２図（Ａ）、第６図（Ａ）に示すように、平面視において立ち上げ部の付根部分９の横断面形状が、外向きに突出した円弧状であり、かつ、その曲率をキャップの中央を中心Ｏとする円弧９ｃ，９ｄの曲率に設定したものを示したが、この発明では、前記円弧９ｃ，９ｄの曲率より大きな曲率を持つ付根部分を備えた立ち上げ部を用いるのが好ましい。すなわち、横断面において、キャップの中央を中心Ｏとする第６図（Ａ）に示したような円弧９ｃ，９ｄを持つ付根部分９に比して、円弧９ｃ，９ｄよりも湾曲度が大きな第６図（Ｂ）に実線で示すような円弧４５ａ，円弧４５ｂを持つ付根部分９を備えた立ち上げ部を用いるのが好ましい。これにより、立ち上げ部５が内側に倒れる反転現象をより確実に防止できる上に、立ち上げ部５の強度を更に大にでき、立ち上げ部を薄肉で形成しても、開栓時における立ち上げ部の座屈を確実に防止できる。
第７図および第８図は、バンド部４から内向き上方向に連設した立ち上げ部５’，５’’を、バンド部４の円周方向において不連続の状態で複数個設け、各立ち上げ部５のバンド部４への付根部分９から先端部分８まで、横断面において、全部がキャップ中央側に円弧の中心を持つ円弧となるよう構成するとともに、付根部分９を、バンド部４の下端に形成した裾１１から曲げられてキャップ高さ方向（Ｔ方向）の上側（Ｔ１方向）へ向く凸状の湾曲部分Ｓで構成し、更に、前記立ち上げ部５’，５’’の付根部分９から先端部分８まで、前記立ち上げ部５’，５’’における前記バンド部４の円周方向に沿う幅が変化するよう、それぞれ、構成してあるこの発明の第２の実施形態およびこの発明の第３の実施形態を示す。なお、第７図および第８図において、第１図および第４図に示した符号と同一のものは同一または相当物である。
第７図において、立ち上げ部５’は、付根部分９から先端部分８にいくにつれ先細り形状に形成されている。この場合でも、上記第１の実施形態で示した立ち上げ部５と同様の効果を奏する。すなわち、この実施形態でも、開栓時には立ち上げ部５’の座屈および／または倒れを防止しながら、瓶口へのグリップ性能を向上できるとともに、閉栓時には瓶口への取り付け（嵌まり込み）を容易にしてキャッピング性能を向上できるピルファープルーフキャップ１を提供することができる。
また、第８図において、立ち上げ部５’’は、付根部分９から先端部分８にいくにつれ先太り形状に形成されている。この場合でも、上記第１，２の実施形態で示した立ち上げ部５，５’と同様の効果を奏する。すなわち、この実施形態でも、開栓時には立ち上げ部５’’の座屈および／または倒れを防止しながら、瓶口へのグリップ性能を向上できるとともに、閉栓時には瓶口への取り付け（嵌まり込み）を容易にしてキャッピング性能を向上できるピルファープルーフキャップ１を提供することができる。
なお、これら第２の実施形態、第３の実施形態でも、湾曲度が大きな第６図（Ｂ）に実線で示すような円弧４５ａ，円弧４５ｂを持つ付根部分９を備えた立ち上げ部を用いるのが、立ち上げ部の座屈防止の点で好ましい。
第９図は、バンド部４の円周方向において連続の状態で設けられている立ち上げ部５０を備え、この立ち上げ部５０は立ち上げ部の付根部分９０から先端部分８０まで、横断面において、全部が円弧となるよう構成されているこの発明の第４の実施形態を示す。なお、第９図において、第１図〜第８図に示した符号と同一のものは同一または相当物である。
第９図において、ピルファープルーフキャップ１には、キャップ本体２の下端に多数のブリッジ部３を介して環状のバンド部４が設けられている。
１００は、バンド部４の円周方向において連続の状態で全周にわたり設けた立ち上げ部である。立ち上げ部１００は、バンド部下端から折曲して内向き上方向に立ち上げたもので、ほぼ蛇腹形状または多数の花弁形状をなす。この立ち上げ部１００は、上記第１の実施形態で示した立ち上げ部５と同一構成の立ち上げ部５０を複数個バンド部４の内面で、円周方向の全周にわたり連設してなる。立ち上げ部１００は、瓶口６に形成された環状の膨出部（ボトルネック，ビード）７の下周面ｍに係止する先端部分８０を有する。
９０は、立ち上げ部１００の前記バンド部４への付根部分（ヒンジ部分）である。１２は、バンド部４と立ち上げ部１００間に溜まったドレン、例えば洗浄用の水滴、あるいは内容物のオーバーフローによる液を排出するドレン孔で、立ち上げ部５０間の下部に設けられている。そして、付根部分９が前記上に凸状の湾曲部分Ｓを有するので、バンド部４と立ち上げ部５間に溜まったドレン、例えば洗浄用の水滴、あるいは内容物のオーバーフローによる液は、付根部分９の前記上の円弧９ｂに沿って素早く立ち上げ部５の裏側からドレン孔１２を通って流れ落ちる。
この場合、立ち上げ部１００は不連続ではなく、バンド部４の下端から内向き上方向に連続の状態でバンド部下端から折曲して内向き上方向に立ち上げてなるので、上記各実施形態に比して周方向に対する柔軟性をより向上でき、キャップ１をねじ込むときにスムースに取り付けることができる。
上記各実施形態では、バンド部４への付根部分９から先端部分８まで、横断面において、全部がキャップ中央側に円弧の中心を持つ円弧となるよう構成された立ち上げ部５を示したが、この発明ではこの形状に限らず、第１０図（Ａ）〜第１０図（Ｅ）に示すような横断面形状を持つ立ち上げ部としてもよい。この場合でも、湾曲度が大きな第６図（Ｂ）に実線で示すような円弧４５ａ，円弧４５ｂを持つ付根部分９を備えた立ち上げ部を用いるのが、立ち上げ部の座屈防止の点で好ましい。
第１０図（Ａ）の立ち上げ部５１は横断面において弓型形状をなす。第１０図（Ｂ）の立ち上げ部５２は横断面において山型形状をなす。第１０図（Ｃ）の立ち上げ部５３は横断面逆Ｖ字型形状をなす。第１０図（Ｄ）の立ち上げ部５４は横断面において台形（例えば等脚台形）の下底を取り除いた形状をなす。第１０図（Ｅ）の立ち上げ部５５は横断面門型形状をなす。
そして、この発明では立ち上げ部は、バンド部の円周方向において連続または不連続の状態で設けられる。すなわち、第１１図に示すように、例えば第１０図（Ａ）の横断面において弓型形状をなす複数個の立ち上げ部５１をバンド部の円周方向において全周または一部にわたり連続させてもこのように、複数個の立ち上げ部５１を連続させると座屈防止強度のアップに繋がる。同様に第１０図（Ｂ）〜第１０図（Ｄ）に示すような横断面形状を持つ立ち上げ部５２，５４も全周にわたり連続させてもよく、また、一部を連続させてもよい。
なお、上記各実施形態では、立ち上げ部５の付根部分９として、キャップ高さ方向（Ｔ方向）に湾曲し、かつ、上側へ向けてＴ１方向に凸状になるよう構成したものを示したが、この発明では、第１２図に示すようなＴ方向に湾曲し、かつ、Ｔ１方向と反対の下側へ向けて凸状になるよう構成した付根部分９を有する立ち上げ部５を用いてもよい。この場合も立ち上げ部の倒れを確実に防止できる。更に、横断面形状が、外向きに突出した円弧状であり、かつ、その曲率をキャップの中央を中心Ｏとする円弧９ｃ，９ｄの曲率より大としてある第６図（Ｂ）に実線で示したような付根部分９を用いるのが立ち上げ部５の座屈防止の点で好ましい。
この場合、立ち上げ部上面Ｐを、第１２図（Ａ）ではＴ方向に垂直な平面に形成してあり、第１２図（Ｂ）では、瓶口の膨出部７の下周面（係止面）ｍに面接触するよう下方に凹入する凹入面に形成してあり、第１２図（Ｃ）では、上方に凸出する凸出面に形成してある。
なお、上記各実施形態では、立ち上げ部５、５’、５’’、５１〜５５が、横断面形状において、外向き凸状の部分を有するものを示したが、第１３図に示すように、この発明は、横断面形状において、内向き凸状の部分を有する立ち上げ部にも適用できる。すなわち、第１３図（Ａ）の立ち上げ部６１は横断面において円弧形状をなす。第１３図（Ｂ）の立ち上げ部６２は横断面において弓型形状をなす。第１３図（Ｃ）の立ち上げ部６３は横断面においてＶ字型形状をなす。第１３図（Ｄ）の立ち上げ部６４は横断面Ｌ字型形状をなす。そして、第１３図（Ａ）〜第１３図（Ｄ）ではバンド部の円周方向において連続または不連続の状態で設けられる立ち上げ部６１〜６４を示したが、それぞれ複数個の立ち上げ部６１〜６４をバンド部の円周方向において全周または一部にわたり連続させてもよくこのように、複数個の立ち上げ部６１〜６４をそれぞれ連続させると座屈防止強度のアップに繋がる。  更に、この発明は、第１４図に示すように横断面形状において、外向き凸状の部分および内向き凸状の部分を有する立ち上げ部にも適用できる。すなわち、第１４図（Ａ）の立ち上げ部７１は横断面において中央にくぼみを有する弓型形状をなす。第１４図（Ｂ）の立ち上げ部７２は横断面において蛇腹状形状をなす。この蛇腹状形状は、複数個の凹凸５７ａ，５７ｂからなる蛇腹状部分８８を有している。更に、第１４図（Ｃ）に示す横断面形状の立ち上げ部７３をバンド部の円周方向において不連続の状態で設けてもよく、また、立ち上げ部７３を全周にわたり連続させてもよい。また、第１４図（Ｄ）に示す横断面Ｓ型形状の立ち上げ部７４をバンド部の円周方向において不連続の状態で設けてもよく、また、立ち上げ部７４を全周にわたり連続させてもよい。
そして、これら第１３図、第１４図で示した横断面形状を持つ立ち上げ部の付根部分も、上記各実施形態と同様、キャップ高さ方向に湾曲し、かつ、上側へ向けて凸状になるよう構成したり、キャップ高さ方向に湾曲し、かつ、下側へ向けて凸状になるよう構成するのが、立ち上げ部が内側に倒れる反転現象をより確実に防止できる点で好ましい。また、第１３図、第１４図で示した横断面形状を持つ立ち上げ部の付根部分の横断面形状が、外向きに突出した円弧状であり、かつ、その曲率をキャップの中央を中心とする円弧の曲率より大とするのが、立ち上げ部５の座屈防止の点で好ましい。
【産業上の利用の可能性】
以上説明したようにこの発明では、閉栓時には瓶口への取り付け（嵌まり込み）を容易にしてキャッピング性能を向上できるとともに、開栓時には立ち上げ部の座屈および／または倒れを防止しながら、瓶口へのグリップ性能を向上できるピルファープルーフキャップを提供することができる。
【図１】
2004060765.tif 000003
【図２】
2004060765.tif 000004
【図３】
2004060765.tif 000005
【図４】
2004060765.tif 000006
【図５】
2004060765.tif 000007
【図６】
2004060765.tif 000008
【図７】
2004060765.tif 000009
【図８】
2004060765.tif 000010
【図９】
2004060765.tif 000011
【図１０】
2004060765.tif 000012
【図１１】
2004060765.tif 000013
【図１２】
2004060765.tif 000014
【図１３】
2004060765.tif 000015
【図１４】
2004060765.tif 000016
【図１５】
2004060765.tif 000017
【国際調査報告】
2004060765.tif 000018
2004060765.tif 000019
2004060765.tif 000020
2004060765.tif 000021